(57)【要約】【課題】組立て操作時の姿勢変化が抑制されたリテーナ、コネクタハウジング、及びリテーナとコネクタハウジングとの組立て構造【解決手段】リテーナ２０は長手方向に延びる本体部２００と嵌合方向に延びる片持ち梁状の一対の被係止部２４０とを備え、本体部２００の長手方向の両端側面に被係止部２４０と平行して延びる板状のガイドリム部２３０を備える。また被係止部２４０はガイドリム部２３０の長手方向の外側に備わる。コネクタハウジング１０は長手方向に延びる箱状の本体部１００と、本体部１００の長手方向の両側面に保持部１１０とを備え、保持部１１０は内部には反嵌合方向側に開口部が形成された中空のガイド孔部１３０と、反本体部側の側面には係止部１２０が備わる。リテーナ２０とコネクタハウジング１０との組立て状態でリテーナ２０の一対のガイドリム部２３０がコネクタハウジング１０の一対のガイド孔部１３０に収容される。【選択図】  図１
2020071921.tif 000002
【特許請求の範囲】
【請求項１】
嵌合方向に直交する長手方向に延びる本体部と、前記嵌合方向に延びる片持ち梁状の一対の被係止部とを備えるリテーナであって、
前記本体部の前記長手方向の両端側面に前記被係止部と平行して延びる板状のガイドリム部を備え、前記被係止部は前記ガイドリム部の前記長手方向の外側に備わるところに特徴を有するリテーナ。
【請求項２】
嵌合方向と直交する長手方向に延びる箱状の本体部と、前記本体部の前記長手方向の両側面に保持部とを備え、
前記保持部は、内部には前記嵌合方向の反嵌合方向側に開口部が形成された中空のガイド孔部と、反本体部側の側面には係止部が備わるところに特徴を有するコネクタハウジング。
【請求項３】
請求項１記載のリテーナと請求項２記載のコネクタハウジングとからなるリテーナとコネクタハウジングとの組立て構造であって、前記リテーナと前記コネクタハウジングとの組立て状態で前記リテーナの一対のガイドリム部が前記コネクタハウジングの一対のガイド孔部に収容されるところに特徴を有するリテーナとコネクタハウジングとの組立て構造。
【発明の詳細な説明】
【技術分野】
【０００１】
本発明は、変形抑止構造を備えたリテーナ、コネクタハウジング、及びリテーナとコネクタハウジングとの組立て構造に関する。
【０００２】
この分野の技術として特許文献１記載の技術が知られている。この技術によれば、端子収容室に装着された端子が抜け出さないようにリテーナを備えている。リテーナは端子配列方向に沿って延びる本体部の両側面にロック部を備え、このロック部には嵌合方向に沿って延びる片持ち梁状の板片が備わり、この板片の中央部には係止用の溝（係止穴）が形成されている。一方コネクタハウジングは、端子収容室を内側に備えた本体部と、この本体部の側面の上端寄りに突起部を備えている。突起部は角柱台状でこのうちの一面にはテーパー面が形成されている。
【０００３】
電線に接続されたピン状の端子が本体部の端子収容室に装着された状態で、リテーナは端子の後端を塞ぐ態様でコネクタハウジングに組立てられる。リテーナが組立てられた状態で、リテーナの中間部には、端子を所定位置に挿入するための一対のコンタクト（端子）押圧部が設けられている。これにより、電線及び端子はリテーナによってコネクタハウジングに保持されることとなる。
【先行技術文献】
【特許文献】
【０００４】
【特許文献１】特開２００８−１４７０７４号公報
【発明の概要】
【発明が解決しようとする課題】
【０００５】
しかし、特許文献１記載のリテーナと、コネクタハウジングとの組立て構造では、リテーナを装着する過程で不用意な力がリテーナに加わり、この力が所定の大きさを超えると、リテーナは係止穴にある突起部を中心にして回転或いは傾斜し、本来の装着姿勢からは若干ずれた姿勢をとるおそれがある。このような事態は、スムーズな組み付け作業の妨げとなるばかりでなく、傾斜姿勢のようなずれた姿勢のまま無理な力で組立てられたときには、リテーナやコネクタハウジングが変形するおそれすらある。
【０００６】
本発明は、上述した問題に鑑みてなされたものであり、組立て操作時の姿勢変化が抑制されたリテーナ、コネクタハウジング及びリテーナとコネクタハウジングとの組立て構造を提供することを目的とするものである。
【課題を解決するための手段】
【０００７】
本発明のリテーナは、（１）嵌合方向に直交する長手方向に延びる本体部と、前記嵌合方向に延びる片持ち梁状の一対の被係止部とを備えるリテーナであって、前記本体部の前記長手方向の両端側面に前記被係止部と平行して延びる板状のガイドリム部を備え、前記被係止部は前記ガイドリム部の前記長手方向の外側に備わるところに特徴を有するものである。
【０００８】
この発明によれば、リテーナは係止部と平行して延びるガイドリム部を備えるので、リテーナ組立て操作時にガイドリム部はコネクタハウジングの対応する要素と協働して、リテーナの組立て姿勢の規律を保つことができる。これにより、組立て操作時の姿勢変化が抑制されたリテーナが得られる。
【０００９】
本発明のコネクタハウジングは、（２）嵌合方向と直交する長手方向に延びる箱状の本体部と、前記本体部の前記長手方向の両側面に保持部とを備え、前記保持部は、内部には前記嵌合方向の反嵌合方向側に開口部が形成された中空のガイド孔部と、反本体部側の側面には係止部が備わるところに特徴を有するものである。
【００１０】
この発明によれば、コネクタハウジングは本体部の両側面に保持部を備え、保持部の内部には中空のガイド孔部が備わる。これにより、組立て操作時にガイド孔部はガイドリム部をガイドするので、組立て操作時にリテーナの姿勢変化が抑制されたコネクタハウジングが得られる。
【００１１】
本発明のリテーナとハウジングとの組立て構造は、（３）上記（１）記載のリテーナと上記（２）記載のコネクタハウジングとからなるリテーナとコネクタハウジングとの組立て構造であって、前記リテーナと前記コネクタハウジングとの組立て状態で前記リテーナの一対のガイドリム部が前記コネクタハウジングの一対のガイド孔部に収容されるところに特徴を有するものである。
【００１２】
この発明によれば、前記リテーナと前記コネクタハウジングとの組立て過程及び組立て完了状態において、前記リテーナの一対のガイドリム部が前記コネクタハウジングの一対のガイド孔部に収容されるので、組立て操作時、及び組立て完了時のリテーナの姿勢変化が抑制されたリテーナとコネクタハウジングとの組立て構造が得られる。
【図面の簡単な説明】
【００１３】
【図１】図１は本発明の実施形態に係るリテーナとコネクタハウジングとの組立て構造を示す外観斜視図であって、（１）は分離状態、（２）は組立て状態である。
【図２】図２は同リテーナを図１とは異なる方向から示した外観斜視図である。
【図３】図３は同リテーナとコネクタハウジングとの組立て構造の要部拡大図である。
【図４】図４は同リテーナとコネクタハウジングとの組立工程を示す外観斜視図であって、（１）は組立て開始時、（２）は組立て終了時である。
【図５】図５は電線に接続された端子が装着された状態のコネクタハウジングとリテーナとの組立状態を示す外観斜視図である。
【発明を実施するための形態】
【００１４】
本発明の実施形態を添付図面に基づいて説明するが、本発明の技術的範囲はこれらの実施形態によって限定されるものではなく、発明の要旨を逸脱しない範囲で実施することができる。図１は本発明の実施形態に係るリテーナとコネクタハウジングとの組立て構造を示す外観斜視図であって、（１）は分離状態、（２）は組立て状態である。図２は同リテーナを図１とは異なる方向から示した外観斜視図である。図３は同リテーナとコネクタハウジングとの組立て構造の要部拡大図である。図４は同リテーナとコネクタハウジングとの組立工程を示す外観斜視図であって、（１）は組立て開始時、（２）は組立て終了時である。図５は電線に接続された端子が装着された状態のコネクタハウジングとリテーナとの組立て状態を示す外観斜視図である。なお、説明中の指示方向は原則対象図面に示す方向定義にしたがう。
【００１５】
本実施形態に係るリテーナとコネクタハウジングとの組立て構造１を理解しやすくするために、図１〜図４に示されるように、本来備わる絶縁被覆を備えた電線及びこの電線の先端に接続されてコネクタハウジングに収容されているピン状の端子は省略している。なお、このような電線が装着された状態のリテーナとコネクタハウジングとの組立て構造は、図５に示されている。
【００１６】
コネクタハウジング１０は、図１に示されるように、箱状の本体部１００、この本体部１００の左右側壁の上端縁から上方に延びる一対の保持部１１０、１１０、及び本体部１００の後壁の上端縁から上方に延び前記一対の保持部１１０、１１０の背面に左右方向に延びる端面で繋がる電線保持部１５０を備えている。
本体部１００は、図１に示されるように、前面に前壁全体に亘る大きさの片持ち梁状のロックアーム１４０を備え、内部には図示しないピン状の端子を保持するための端子収容部１６０を備えている。ロックアーム１４０は、図示しない相手方コネクタとの嵌合係止、及び嵌合解除の切換操作を行うものである。
【００１７】
保持部１１０は、図１、図３に示されるように、上面及び下面が開口された箱状で反本体部側の側壁に係止部１２０が備わる。係止部１２０の外面にはテーパー面が上方に形成された係止突部１２１が備わる。また、保持部１１０の内部には、上下方向に貫通した中空状のガイド孔部１３０が備わる。保持部１１０は、対応するリテーナ２０の被保持部２１０と協働してリテーナ２０の組立て操作を安定化させるとともに組立て状態を安定化させる。
【００１８】
ガイド孔部１３０は、図１、図３に示されるように、上下方向に略垂直に貫通した穴で、任意の断面は略同じ大きさで形成されている。また、ガイド孔部１３０の内周は概ね平坦面である。
【００１９】
電線保持部１５０は、図１、図３に示されるように、本体部１００の後壁上方に備わる。電線保持部１５０の前面には、図示しない電線を一本単位で保持するために仕切り壁で隔たれた区画部が左右方向に沿って形成されている。電線保持部１５０の下方延長上に端子収容部１６０が形成されている。端子収容部１６０は、図示しない端子を収容保持し内部には図示しない端子係止部が形成されている。
【００２０】
電線保持部１５０と、一対の保持部１１０、１１０とは、図１、図３に示されるように、其々の壁面の一部が共通し、組立て状態で図示しない電線を避けるようにして、平面視コの字状に連結されている。電線保持部１５０と、一対の保持部１１０、１１０とは、本体部１００の上方に備わる。また、保持部１１０は、本体部１００の左右側壁の外面から外方向に張り出している。
【００２１】
＜リテーナ＞
リテーナ２０は、図１、図２に示されるように、図示しない端子の配列方向（左右方向）に沿って延びる板状の本体部２００と、この本体部２００の左右端部に連なる一対の被保持部２１０、２１０とを備えている。
【００２２】
本体部２００は、図１、図２に示されるように、コネクタハウジング１０との組立て時にコネクタハウジング１０の電線保持部１５０に対峙する面（後面）に湾曲状に波打つ溝部が形成された電線保持部２５０と、この電線保持部２５０の下方に連なる端子保持部２６０とを備える。
【００２３】
電線保持部２５０は、リテーナ２０がコネクタハウジング１０に装着されたとき、コネクタハウジング１０の電線保持部１５０と協働して図示しない電線を一本単位で保持するものである。端子保持部２６０は、同じくリテーナ２０が装着されたとき、端子収容部１６０に収容された図示しない端子を端面から保持して、端子の上方への抜け出しを抑止するものである。
【００２４】
被保持部２１０は、図１、図２に示されるように、前面、後面、及び下面がコの字状に
開口されていて、板状のガイドリム部２３０と、ガイドリム部２３０の上端からＬ字状に下方向に延びる被係止部２１０とを備えている。被保持部２１０は、リテーナ２０がコネクタハウジング１０に組立てられる過程でコネクタハウジング１０の保持部１１０と協働して、安定した姿勢での組立てを導くとともに正しい組立て姿勢をその状態のまま保持するものである。
【００２５】
ガイドリム部２３０は、図１、図３に示されるように、上下方向に垂直に延びる板状体で、表裏面ともに平坦である。ガイドリム部２３０は、リテーナ２０とコネクタハウジング１０との組立ての際、コネクタハウジング１０のガイド孔部１３０に誘導されてリテーナ２０の進入を導くとともに、リテーナ２０の姿勢制御をおこなう。姿勢制御によってリテーナ２０は、図１に示されるように、水平姿勢を保った状態で垂直降下し、そのままコネクタハウジング１０に略全体が組み込まれる。ガイドリム部２３０は、その背面で本体部２００の端面に繋がる。
【００２６】
被係止部２４０は、図１、図２に示されるように、ガイドリム部２３０の外面の上端からＬ字状に下方に垂下する梁状片で外内方向（左右方向）に弾性的に変位する。被係止部２４０には被係止孔部２４１が備わる。
【００２７】
＜リテーナの組立て＞
リテーナ２０と、コネクタハウジング１０との組立てを図４に従って説明する。リテーナ２０は、その電線保持部２５０がコネクタハウジング１０の電線保持部１５０に対峙する水平姿勢でコネクタハウジング１０の上方位置に待機している。この待機姿勢からリテーナ２０を垂直に降下させるとガイドリム部２３０の先端がガイド孔部の入り口付近に係りはじめる。ガイドリム部２３０の先端にはテーパー面が形成されているので、ガイドリム部２３０はガイド孔部１３０に導かれるようにして進入していく。
【００２８】
ガイドリム部２３０は、図４の（１）に示されるように、ガイド孔部１３０への進入を開始する。ガイド孔部１３０は、ガイドリム部２３０がスムーズに通過できる大きさであるとともに、リテーナ２０の姿勢が大きく傾かない程度にガイドリム部２３０の姿勢を規律するために必要な寸法を備えている。特にリテーナ２０の前後方向の傾きが所定範囲に収まるようにするために、ガイドリム部２３０の前後方向寸法と、ガイド孔部１３０の前後方向寸法とのクリアランスは、その他の条件も考慮にいれて、タイト気味に設計される。なお、このとき嵌合方向に沿ってクリアランスの寸法に差を設けてもよい。
【００２９】
リテーナ２０をさらに組立て方向に進めると、図４の（２）に示されるように、コネクタハウジング１０の係止部１２０の係止突部１２１にリテーナ２０の被係止部２４０の被係止孔部２４１が係りはじめる。さらに押し進めると被係止部２４０は、係止突部１２１のテーパー面に沿って外向きに撓みながらこれを乗り越える。リテーナ２０の組立て終了位置で、被係止部２４０は、元の位置に戻り係止突部１２１の全体が被係止孔部２４１にすっぽり嵌り込む。係止突部１２１の下面は平坦なので被係止部２４０は係止部１２０で係止され、リテーナ２０はコネクタハウジング１０の正規組立て位置に装着保持される。
【００３０】
このように、リテーナ２０の組立て操作時にガイドリム部２３０とガイド孔部１３０とが協働してリテーナ２０の姿勢制御をおこなうので、リテーナ２０が傾いたりすることがなく安定した状態で操作を行うことができる。組立て状態においても、ガイドリム部２３０とガイド孔部１３０とのクリアランスは小さく設計されているので、たとえリテーナ２０に不用意な力が加わったとしても、容易に変形や変位することがなく安定した組立て状態が維持されるリテーナが得られる。また、ガイドリム部２３０の先端を被係止部２４０の先端よりも長めにし、先端の幅及び厚み寸法を小さくすることによって、リテーナ２０の装着を正しい方向に誘導するためのパイロット的な位置決め機能を積極的に発揮させる
こともできる。
【００３１】
リテーナ２０の取り外しは、組立て操作の逆手順で行われる。すなわち、被係止部２４０を若干外向きに撓ませて、コネクタハウジング１０の係止部１２０と、リテーナ２０の被係止部２４０との係止を解き、そのままの姿勢で上方へ引き上げることによってリテーナ２０はコネクタハウジング１０から取り外される。リテーナ２０の取り外し操作においても、ガイドリム部２３０と、ガイド孔部１３０との協働により、リテーナ２０は、水平姿勢を維持した状態で取り外される。
【００３２】
＜効果＞
・本実施形態に係るリテーナ２０は、ガイドリム部２３０を備え、コネクタハウジング１０はガイドリム部２３０を収容するガイド孔部１３０を備えるので、リテーナ２０の組立て作業性のよいリテーナ２０、及びコネクタハウジング１０の組立て構造が得られる。
・本実施形態に係るガイドリム部２３０と、ガイド孔部１３０とのクリアランス設計によりリテーナ２０装着時、及びリテーナ２０装着後のリテーナ２０の変形が抑止されたリテーナ２０、及びコネクタハウジング１０の組立て構造が得られる。
・ガイドリム部２３０、ガイド孔部１３０の外側に被係止部２４０、係止部１２０が備わるので装着後の保持力が向上したリテーナ２０、及びコネクタハウジング１０の組立て構造が得られる。
【符号の説明】
【００３３】
１            リテーナとコネクタハウジングとの組立て構造
１０          コネクタハウジング
１００        本体部
１１０        保持部
１２０        係止部
１２１        係止突部
１３０        ガイド孔部
１４０        ロックアーム
１５０        電線保持部
１６０        端子収容部
２０          リテーナ
２００        本体部
２１０        被保持部
２３０        ガイドリム部
２４０        被係止部
２４１        被係止孔部
２５０        電線保持部
２６０        端子保持部
Ｗ            電線
【図１】
2020071921.tif 000003
【図２】
2020071921.tif 000004
【図３】
2020071921.tif 000005
【図４】
2020071921.tif 000006
【図５】
2020071921.tif 000007